(57)【要約】      （修正有）【課題】砲弾発射時の反動を相殺するようにした無反動砲において、軽量かつ簡易な構造にすることができるとともに、メタルパウダー等を放出する砲身の後方における危険を回避できるようにする。【解決手段】砲弾３０の発射によって砲身１０の後方からカウンターマス４０を放出することにより、砲弾３０発射時の反動を相殺するようにした無反動砲Ａにおいて、上記砲身１０の後方に放出されるカウンターマス４０を受容するカウンターマス受容体５０を、砲身１０の後部に取着した。【選択図】図１
2011226656.tif 000002
【特許請求の範囲】
【請求項１】
砲弾の発射によって砲身の後方からカウンターマスを放出することにより、砲弾発射時の反動を相殺するようにした無反動砲において、
上記砲身の後方に放出されるカウンターマスを受容するカウンターマス受容体を、その砲身の後部に取着したことを特徴とする無反動砲。
【請求項２】
カウンターマス受容体は、カウンターマスの放出によって拡開する袋状部材であることを特徴とする請求項１に記載の無反動砲。
【請求項３】
カウンターマス受容体には、カウンターマスの放出圧力を開放するための圧力開放孔が形成されていることを特徴とする請求項１又は２に記載の無反動砲。
【請求項４】
カウンターマス受容体は、カウンターマスの放出圧力により破断するように形成されていることを特徴とする請求項１又は２に記載の無反動砲。
【発明の詳細な説明】
【技術分野】
【０００１】
本発明は、砲弾発射時の反動を相殺するように構成された無反動砲に関する。
【背景技術】
【０００２】
従来、この種の無反動砲は、非特許文献１に示されているように、デイビス式、クルップ式及びクロムスキット式に大別することができる。
このうちデイビス式は、砲身中央部の薬室に発射薬を置き、前方に砲弾、後方に砲弾と同じ重量のカウンターマスや小さな鉛の散弾と油脂の入った平衡弾等を装填した構成になっている。
【先行技術文献】
【非特許文献】
【０００３】
【非特許文献１】“Wepons School”、［online］、２００３年１２月１０日、［平成２２年３月２日検索］、インターネット＜http://www004.upp.so-net.ne.jp/weapon/recoilless.htm＞
【発明の概要】
【発明が解決しようとする課題】
【０００４】
上記非特許文献１に開示されたデイビス式の無反動砲は、発射薬の点火により砲弾は前方に発射され、同時に後方からはカウンターマスとしての砂、メタルパウダーや粉々になった散弾と油脂等を放出することにより、それらの作用・反作用により発射時の反動を相殺するというものである。
【０００５】
デイビス式の利点としては、重い駐退復座機や砲架等が不要となり、薄い砲身と簡単な閉鎖機のみの構造となるために軽量化を図るとともに簡易な構造にすることができる一方、砲身の後方はカウンターマス等が拡散放出されるために危険であるという欠点がある。
【０００６】
そこで本発明は、軽量かつ簡易な構造にすることができるとともに、カウンターマスを放出する砲身の後方における危険を回避できる無反動砲の提供を目的としている。
【課題を解決するための手段】
【０００７】
上記目的を達成するための本発明は、砲弾の発射によって砲身の後方からカウンターマスを放出することにより、砲弾発射時の反動を相殺するようにした無反動砲において、上記砲身の後方に放出されるカウンターマスを受容するカウンターマス受容体を、砲身の後部に取着したものである。
【発明の効果】
【０００８】
本発明によれば、軽量かつ簡易な構造にすることができるとともに、カウンターマスを放出する砲身の後方における危険を回避することができる。
【図面の簡単な説明】
【０００９】
【図１】本発明の一実施形態に係る無反動砲の断面図である。
【図２】同上の無反動砲の発射動作を示す説明図である。
【図３】（Ａ）〜（Ｃ）は、それぞれカウンターマス受容体の第一〜第三の変形例を示す説明図である。
【発明を実施するための形態】
【００１０】
以下に、本発明を実施するための形態について、図面を参照して説明する。図１は、本発明の一実施形態に係る無反動砲の断面図である。また、図２は、本発明の一実施形態に係る無反動砲の発射動作を示す説明図であり、（Ａ）は、砲弾を発射した直後の様子を示し、また、（Ｂ）は、砲弾を発射してから所定の時間経過した後の様子を示している。
【００１１】
本発明の一実施形態に係る無反動砲Ａは、略円筒形の砲身１０の略中央部に配設した薬室（図示しない）に発射薬２０を配置するとともに、その発射薬２０の前部開口１０ａ側に砲弾３０を、また、後部開口１０ｂに砲弾３０と同じ運動量を発生し得るカウンターマス４０を装填しているとともに、その砲身１０の後部にカウンターマス受容体５０を配設している。
【００１２】
カウンターマス４０は、例えば砂，メタルパウダー等を例えば袋（図示しない）に収容してなるものである。
カウンターマス受容体５０は、砲身１０から放出されるカウンターマス４０の拡散を防ぐものであり、例えば樹脂，ゴム，アラミド繊維等により、カウンターマス４０の放出圧力によって膨出して拡開し、かつ、所要の内容積を有する略球形の袋状に成形されている。
【００１３】
カウンターマス受容体５０の一部には円形の開口５０ａが形成されており、この開口５０ａの周縁部を砲身１０の後部である後部開口１０ｂに取着している。
本実施形態において示すカウンターマス受容体５０は、砲身１０の後部開口１０ｂにおける放出圧力により破断する強度となるように設定している。
【００１４】
次に、上記の構成からなる無反動砲の発射動作について、図２（Ａ），（Ｂ）を参照して説明する。
砲弾３０を発射する前には、カウンターマス受容体５０は、砲身１０の後部開口１０ｂに折り畳まれた状態で取着されている。
【００１５】
（Ａ）に示すように、砲弾３０が発射されると、点火薬２０の爆発に伴う圧力によって、カウンターマス４０が砲身１０の後方に放出されるとともに、カウンターマス受容体５０が膨出して拡開する。
【００１６】
そして、拡開したカウンターマス受容体５０内にカウンターマス４０をなすメタルパウダー４１等が受入されるとともに、その受入直後に、（Ｂ）に示すようにカウンターマス受容体５０が破断して圧力を開放する。
【００１７】
以上の構成からなる無反動砲Ａによれば、軽量かつ簡易な構造にすることができるとともに、カウンターマスを放出する砲身１０の後方における危険を回避することができる。
換言すると、砲身１０後方でのカウンターマス４０をなすメタルパウダー４１の飛散を防止して、砲身１０の後方における危険を回避できる。
すなわち、カウンターマス受容体５０が緩衝材となって発生する放出圧力を低減させられ、より狭い空間における砲弾３０の発射を行なうことができる。
【００１８】
なお、本発明は上述した実施形態に限るものではなく、次のような変形実施が可能である。
図３（Ａ）〜（Ｃ）は、それぞれカウンターマス受容体の第一〜第三の変形例を示す説明図である。
図３（Ａ）〜（Ｃ）に示す第一〜第三の変形例に係るカウンターマス受容体は、カウンターマス４０の放出圧力を開放するための圧力開放孔が形成された構成のものである。
【００１９】
同図（Ａ）に示す第一の変形例に係るカウンターマス受容体５０Ａは、砲身１０から放出されるカウンターマス４０の拡散を防ぐものである。
このカウンターマス受容体５０Ａは、例えば樹脂，ゴム，アラミド繊維等により、カウンターマス４０の放出圧力によって拡開膨張し、かつ、所要の内容積を有する略球形の袋状に成形されていることは上記したものと同様であるが、砲身１０の後部開口１０ｂにおける放出圧力によっては破断しない強度となるように設定している。
【００２０】
すなわち、砲身１０の後部開口１０ｂに略対向する領域に、放出圧力を大気に開放するための圧力開放孔５１…を複数形成している。
圧力開放孔５１…は、後部開口１０ｂを軸心Ｏとする一の円周上に互いに等角度で配設したものである。
なお、（Ａ）においては、圧力開放孔５１を一の円周上に配設した例について示しているが、互いに直径が異なる二以上の円周上に等角度間隔で配列した構成にしてもよい。また、その開口形状も円形に限るものではなく、公知の形状にしてよいものである。
【００２１】
同図（Ｂ）に示す第二の変形例に係るカウンターマス受容体５０Ｂは、第一の変形例に係るカウンターマス受容体５０Ａと同様に、同等の材質で所要の内容積を有する略球形の袋状に成形され、かつ、砲身１０の後部開口１０ｂにおける放出圧力によっては破断しない強度となるように設定している。
【００２２】
本例においては、砲身１０の後部開口１０ｂに略対向する領域に、放出圧力を大気に開放するための単一の開口５２を形成するとともに、その開口５２にメッシュ部材５３を張設した構成になっている。
メッシュ部材５３は、カウンターマス４０をなすメタルパウダー４１がカウンターマス受容体５０Ａから脱出しない大きさのメッシュとしている。
【００２３】
同図（Ｃ）に示す第三の変形例に係るカウンターマス受容体５０Ｃは、キャノピー５４を複数本のサスペンションライン５５…の一端部に連結した所謂パラシュートであり、そのサスペンションライン５５…の他端部を砲身１０の後部開口１０ｂに取り付けている。
このカウンターマス受容体５０Ｃにおいては、砲身１０の後部開口１０ｂとキャノピー５４との間から放出圧力を開放している。
【００２４】
なお、上述した実施形態において説明したものと同等のものについては、それらと同一の符号を付して説明を省略する。
・上記した実施形態においては、カウンターマス受容体として、カウンターマスの放出圧力により破断するもの、放出圧力を開放するための圧力開放孔等を形成した例を個別に説明したが、図１に示すカウンターマス４０に、図３（Ａ）〜（Ｃ）に示す圧力開放孔を適宜組み合わせた構成にしてもよい。
【００２５】
・上記した実施形態においては、カウンターマス受容体５０を砲身の後部開口に折り畳まれた状態で取着した例について説明したが、当該後部開口の縁部に被せるようにして取着してもよい。
【符号の説明】
【００２６】
１０                  砲身
３０                  砲弾
４０                  カウンターマス
５０，５０Ａ〜５０Ｃ  カウンターマス受容体
５１                  圧力開放孔
Ａ                    無反動砲
【図１】
2011226656.tif 000003
【図２】
2011226656.tif 000004
【図３】
2011226656.tif 000005